(57)【要約】【課題】  簡単な操作によって、視聴を必要としない無駄な番組映像画面を再生することなく、かつ番組映像場面（シーン）のつながりが明瞭となるような見逃した番組映像場面を含んだ番組映像画面を視聴することができるテレビ放送番組見逃し防止装置、及びその方法を提供する。【解決手段】  予めテレビ放送番組の映像音声信号を記録（記憶）しておき、見逃した映像場面を含んだ番組映像画面を再生するとき、見逃した映像場面を含んだ番組映像音声信号における前直近のＣＭ領域の位置データをマーキングとして、そのマーキングとしたＣＭ領域の位置データ（アドレス、あるいはカウント値）から再生動作を開始する。【選択図】      図１
2005277754.tif 000002
【特許請求の範囲】
【請求項１】
テレビ放送番組の番組映像画面の映像音声信号を記憶させる映像音声処理手段と、ＣＭ領域の位置データを逐次マーキングとして記憶させるマーキング処理手段と、ＣＭリターンキーの入力に応じて前記マーキングとして記憶された各ＣＭ領域の位置データを読み込んで前記記憶されている映像音声信号の前記マーキングとしたＣＭ領域の位置から再生動作を開始させる再生制御手段とからなるテレビ放送番組見逃し防止装置を備えたことを特徴とする映像表示装置。
【請求項２】
前記ＣＭリターンキーの入力の回数に応じて、対応する回数だけ前の前記マーキングとしたＣＭ領域の位置から再生動作を開始させる再生制御手段とからなるテレビ放送番組見逃し防止装置を備えたことを特徴とする請求項１記載の映像表示装置。
【請求項３】
テレビ放送番組の番組映像画面の映像音声信号を記憶するとともに、各ＣＭ領域の位置データをマーキングとし、そのマーキングとしたＣＭ領域の位置データを読み込んで、ＣＭリターンキーの入力に応じて、前記記憶されている映像音声信号の予め設定されたマーキングとしたＣＭ領域の位置データから再生動作を開始することを特徴したテレビ放送番組見逃し防止方法。
【請求項４】
前記ＣＭリターンキーの入力の回数に応じて、対応する回数だけ前の前記マーキングとしたＣＭ領域の位置から再生動作を開始させることを特徴とする請求項３記載のテレビ放送番組見逃し防止方法。
【発明の詳細な説明】
【技術分野】
【０００１】
本発明は、見逃したテレビ放送番組の見直しを可能にした見逃し防止装置を備えたテレビ、及びテレビ放送番組見逃し防止方法に関する。
【背景技術】
【０００２】
テレビジョン装置によりテレビ放送番組を視聴しているとき、用事があって席を離れて、視聴したい番組映像場面を見逃してしまう場合がある。このような場合、見逃した番組映像場面の見直しを可能にして、見逃した番組映像場面を視聴することができる装置、及び方法として、（１）一定時間毎に番組映像場面の映像音声信号を記録媒体に上書き保存して記憶しておき、その後の任意の時点において、所定の前記一定時間前からの番組受像場面の映像音声信号をプレイバック再生することにより、見逃した番組映像場面を視聴することができるもの（特許文献１参照）、（２）一定時間毎に番組映像画面の映像音声信号を記録媒体に上書き保存して記憶しておき、例えば、席を離れるとき、リモコン操作などの操作によって、その時点を記憶されている番組映像画面の映像音声信号の読出開始点として設定して席を離れ、その後、席に戻って見逃した番組映像場面を視聴しようとする時点で、プレイバック再生開始の操作をすることによって、一定時間前（前記読出開始点）からの番組映像場面をタイムシフト再生することを可能にすることにより、見逃した番組受像場面を視聴することができるもの（特許文献２参照）、（３）遅延映像処理した遅延された番組受像場面の映像音声信号を利用して、一定時間前からの番組受像場面を映し出すことにより、見逃した番組受像場面を視聴することができるもの（特許文献３参照）などが知られており、いずれも、見逃した番組受像場面あるいは見逃した番組受像場面以前の番組受像場面を含めた番組受像画面を再生して見逃した番組映像場面を視聴することができるものである。
【０００３】
【特許文献１】特開２００２−１９９３２３号公報
【特許文献２】特開平９−６５２２５号公報
【特許文献３】特開平５−１７６２３０号公報
【発明の開示】
【発明が解決しようとする課題】
【０００４】
一般に、テレビ番組を視聴する視聴者は、視聴中に用事ができた場合、ＣＭ中に用事を済ませようと席を離れるのが普通である。上記従来から知られているテレビ放送番組見逃し防止装置、及びその方法においては、見逃した映像場面あるいは見逃した映像場面以前の映像場面を含んだ番組映像画面を再生して見逃した映像場面を視聴することはできる。しかしながら、ＣＭ中に用事ができ席を離れ、そのＣＭが済んで番組放送に入ってから用事を済ませて席に戻って見逃した映像場面を視聴しようとした場合は、それらの視聴開始時の番組映像画面は、戻ってきた時刻を基点とした所定の一定時間前からの映像場面か、あるいは、流れている番組映像画面の途中からの映像場面であり、必ずしも席を離れたときのＣＭの終わった時点の映像場面から視聴できるとは限らない。
【０００５】
したがって、視聴者は、視聴を必要としない無駄な番組映像画面を見せられたり、流れている映像場面（シーン）の内容のつながりが分からなくなってしまったりという問題点があった。
【０００６】
そこで、本発明は、以上のような従来のテレビ放送番組見逃し装置、及びその方法における問題点を解決し、簡単な操作により見逃した映像場面を的確に視聴することができるテレビ放送番組見逃し防止装置を備えたテレビ、及びその方法を提供することを目的とするものである。
【課題を解決するための手段】
【０００７】
かかる課題を解決するために、本発明は以下のとおりの手段を構成するものである。
請求項１の発明の映像表示装置は、テレビ放送番組の番組映像画面の映像音声信号を記憶させる映像音声処理手段と、ＣＭ領域の位置データを逐次マーキングとして記憶させるマーキング処理手段と、ＣＭリターンキーの入力に応じて前記マーキングとして記憶された各ＣＭ領域の位置データを読み込んで前記記憶されている映像音声信号の前記マーキングとしたＣＭ領域の位置から再生動作を開始させる再生制御手段とからなるテレビ放送番組見逃し防止装置を備えたことを特徴とする。さらに、具体的には、テレビ放送番組の番組映像画面の映像音声信号を記憶させる映像音声処理手段と、前記映像音声信号の音声信号から各音声モードを判別する音声判別処理手段と、前記音声判別処理手段から取得した音声モード判別信号から各音声モード間の遷移を検出して前記映像音声信号の各ＣＭ領域の位置データを得る音声情報処理手段と、前記記憶された映像音声信号の再生動作を制御する再生操作手段のＯＮ操作によって前記音声情報処理手段から取得した前記映像音声信号の各ＣＭ領域の位置データをマーキングとして記憶させるマーキング処理手段と、前記記憶されたマーキングとした各ＣＭ領域の位置データを読み込んで前記記憶されている映像音声信号の予め設定された前記マーキングとしたＣＭ領域の位置データから再生動作を開始させる再生制御手段とを備える番組見逃し防止装置に係わるものである。
【０００８】
請求項２の発明の映像表示装置は、前記ＣＭリターンキーの入力の回数に応じて、対応する回数だけ前の前記マーキングとしたＣＭ領域の位置から再生動作を開始させる再生制御手段とからなるテレビ放送番組見逃し防止装置を備えたことを特徴とする。さらに、具体的には、再生操作手段のＯＮ操作により記憶された映像音声信号の再生動作を開始させるとき、前記再生操作手段のＯＮ操作回数に応じて予め設定されたマーキングとしたＣＭ領域の位置データから再生動作を開始させる再生制御手段を備える番組見逃し防止装置に係わるものである。
【０００９】
請求項３の発明のテレビ放送番組見逃し防止方法は、テレビ放送番組の番組映像画面の映像音声信号を記憶するとともに、各ＣＭ領域の位置データをマーキングとし、そのマーキングとしたＣＭ領域の位置データを読み込んで、ＣＭリターンキーの入力に応じて、前記記憶されている映像音声信号の予め設定されたマーキングとしたＣＭ領域の位置データから再生動作を開始することを特徴した。さらに、具体的には、テレビ放送番組の番組映像画面の映像音声信号を記憶するとともに、前記映像音声信号の音声信号から判別した各音声モード間の遷移の検出によって前記映像音声信号の各ＣＭ領域の位置データを検出しておき、その後、前記記憶されている映像音声信号の再生動作を開始するとき、前記映像音声信号の各ＣＭ領域の位置データをマーキングとし、そのマーキングとしたＣＭ領域の位置データを読み込んで、前記記憶されている映像音声信号の予め設定されたマーキングとしたＣＭ領域の位置データから再生動作を開始させる番組見逃し防止方法係わるものである。
【００１０】
請求項４の発明のテレビ放送番組見逃し防止方法は、前記ＣＭリターンキーの入力の回数に応じて、対応する回数だけ前の前記マーキングとしたＣＭ領域の位置から再生動作を開始させることを特徴とする。さらに、具体的には、前記記憶されている映像音声信号の再生動作を開始するとき、再生動作を開始する前記映像音声信号の予め設定されたマーキングとしたＣＭ領域の位置データが、再生操作手段のＯＮ操作による操作回数に応じて予め設定されたマーキングとしたＣＭ領域の位置データである番組見逃し防止方法係わるものである。
【発明の効果】
【００１１】
以上のように、本発明は、見逃した映像場面を再生動作するとき、その再生開始点を見逃した映像場面を含んだ番組映像画面の映像音声信号のＣＭ領域を基点としているので、視聴者が用事を済ませて席に戻り見逃した映像場面を視聴しようとするとき、視聴し始める最初の番組映像画面は、必ず、見逃した映像場面を含んだ番組映像画面の前直近のＣＭ領域終了直後（あるいはＣＭ領域開始直後）の番組映像画面であって、番組映像場面（シーン）の流れが比較的明瞭な映像場面であるＣＭ終了時の番組映像画面からタイムシフト再生されるから、視聴者は、視聴を必要としない無駄な番組映像画面を見せられたり、流れている映像場面（シーン）の内容のつながりが分からなくなったりすることはない。
【００１２】
また、視聴者は、リモコン操作など操作部の簡単な操作により、席を離れていた時間を考慮した再生開始位置を設定することができるから、見逃した映像場面を再生落しすることなく、見逃した映像場面を視聴することができる。さらに、本発明によれば、通常のテレビジョン装置にマイコンを主体とした番組見逃し防止装置を付加し、マイコンソフト処理をするだけで、上記のような作用効果を奏することができる。
【発明を実施するための最良の形態】
【００１３】
本発明の実施するための最良の形態について説明する。図１におけるテレビジョン装置（映像表示装置）の見逃し防止装置４の構成は、本発明を実施するための最良の形態を示すものであって、テレビ放送番組映像画面の映像音声信号を記録媒体４２に記憶する映像音声処理手段４１と、前記映像音声信号の音声信号から各音声モードを判別する音声判別処理手段４３と、前記音声判別処理手段４３から取得した音声モード判別信号から音声動作モードの遷移を検出して前記映像音声信号の各ＣＭ領域の位置データを得る音声情報処理手段４５１と、前記各ＣＭ領域の位置データをマークキングとして、そのマーキングとした各ＣＭ領域の位置データをメモリ４４に書込み及び読出しを行うマーキング処理手段４５２と、予め設定されたマーキングとしたＣＭ領域の位置データから再生動作を開始させる再生制御手段４５３を構成して、前記記録媒体４２に記憶された番組映像画面の映像音声信号を再生動作するとき、操作手段５のＯＮ操作の回数で設定したマーキングとしたＣＭ領域の位置データから再生動作が開始するようにしたものである。
【００１４】
図中、テレビジョン装置は、表示部を有するディスプレイ装置１、特定のチャンネルを選局するチューナ２、選局された映像音声信号を映像音声表示信号に処理する映像表示処理部３、見逃し防止装置４、及び、タッチパネル、リモコン送信機などからなる操作部５から構成されている。そして、前記見逃し防止装置４は、映像音声信号の圧縮、解凍などのディジタル処理を行う映像音声処理部４１、ディジタル処理をした映像音声信号を記録（記憶）するハードディスク（ＨＤＤ）などの不揮発性記録媒体４２、前記映像音声信号の音声信号からステレオ／モノラル、二ヶ国語など各音声モードを判別する音声判別処理部４３、前記映像音声信号のＣＭ領域のマーキング位置データ（アドレス、カウンタ値など）及び操作部５のＣＭリターンキーのＯＮ操作状態などを記録（記憶）又は、この記録（記憶）がクリアされるＥ２ＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）などのメモリ４４、及び前記各部をそれぞれ制御するマイコン４５から構成されている。そして、マイコン４５は、音声判別処理部４３の音声モード判別信号から映像音声信号のＣＭ領域を検出する音声情報処理部４５１、検出されたＣＭ領域の位置データをマーキングとして、そのマーキングとしたＣＭ領域の位置データをメモリ４４に書込み及び読出しを行うマーキング処理部４５２、前記操作部５の操作情報、及び前記マーキング処理部４５２からのマーキング情報に基づいてタイムシフト再生などの再生動作を制御する再生制御部４５３から構成されている。
【００１５】
図２は本発明の番組見逃し防止方法を説明するフローチャート図、図３は本発明における番組映像音声信号のＣＭ領域の検出及びマーキング位置を説明する動作模式図、図４は本発明における番組映像音声信号のＣＭ領域の位置と、見逃した映像場面を含んだ番組映像画面の再生開始位置との関係を説明する動作模式図、及び、図５はディスプレイ装置（図１）表示される映像画面の例（メニュー画面）を示すものである。
【００１６】
以下、本発明を実施したテレビジョン装置の実施例（図１）の動作、作用について、図２（フローチャート）を用いて説明をする。いま、視聴者がテレビ放送番組を視聴しようとするとき、操作部５の操作により、テレビジョン装置への電源投入、及びチャンネル選局などの通常のテレビ番組視聴の操作が行われ、チューナ２で選局された特定チャンネルのテレビ放送番組の番組映像画面がディスプレイ装置１の表示部に写し出され、視聴者はその番組映像画面を視聴する（［ステップＳ０１：番組視聴開始］）。
【００１７】
ユーザは、このような通常の番組映像画面を視聴しているとき、何らかの用事ができて席を離れ、ある時間後に用事を済ませて席に戻り、見逃した映像場面を視聴しようとするときのために、まず、操作部５の操作によって、ディスプレイ装置１にメニュー画面（図５）を表示させて、ＣＭリターンキーを選択し、「ＯＮ」を選択しておく（［ステップ：Ｓ０２］）。ＣＭリターンキーをＯＮ操作すると、［ステップ：Ｓ０２］において「ＹＥＳ」となり、映像音声信号が、見逃し防止装置の映像音声処理部４１おいてディジタル処理されて、前記記録媒体４２に記録（記憶）されている映像音声信号に基づく番組映像画面が、一旦、ディスプレイ装置１の表示部に映し出される（［ステップ：Ｓ０４］）。ここにおいて、映像音声信号を前記記録媒体４２に記録（記憶）させておくことは必須であるが、必ずしも、ディスプレイ装置１に表示する映像は前記記録媒体４２に記録（記憶）させたものでなく、番組を直接表示しても良い。
【００１８】
ここで、［ステップ：Ｓ０２］において「ＮＯ」の場合は、通常のテレビ放送番組の番組映像画面がディスプレイ装置１の表示部に映し出される［（ステップ：Ｓ０３）］。この［ステップ：Ｓ０２］においてＣＭリターンキーをＯＮ操作しておくと、見逃し防止装置４においては、ＣＭの有無が検出される。その方法としては、例えば、音声判別処理部４３において、番組映像音声信号における音声信号の、ステレオ／モノラル、二ヶ国語など各音声モードからステレオ／モノラルの音声モードが判別され、判別されたステレオ／モノラルの音声モードをマイコン４５に出力して、マイコン４５内の音声情報処理装置（４５１）において、図３ａに示すような、ステレオ音声モードからモノラル音声モードへ遷移する位置、あるいはモノラル音声モードからステレオ音声モードへ遷移する位置が検出され、番組映像音声信号のＣＭ領域の開始位置データあるいは終了位置データが検出される（［ステップ：Ｓ０５］）。ここで、［ステップ：Ｓ０５］において、「ＮＯ」（ＣＭ領域の不存在）の場合は、この［ステップ：Ｓ０５］の判断が引き続き行われる。なお、本実施例におけるＣＭの有無の検出方法は、上述した方法により行うものではあるが、他の検出方法として、音声信号のミュート部分（音声無しの部分）と映像信号の黒ミュート部分（映像信号無しの部分）の検出でもＣＭ領域の開始位置データあるいは終了位置データを検出する事は可能である。
【００１９】
次に、前記［ステップ：Ｓ０５］において「ＹＥＳ」（ＣＭ領域の存在）の場合、マーキング処理部４５２において、図３ｂに示すように、ＣＭ領域開始時の位置データあるいはＣＭ領域終了時の位置データを「マーキングＡ，Ｂ，Ｃ・・・」（この場合は、ＣＭ領域終了時の位置）として、そのＣＭ領域の位置データをメモリ４４に記憶する（［ステップ：Ｓ０６］）。ここで、マーキング（Ａ，Ｂ，Ｃ・・・）としたＣＭ領域の位置データ数は、図３ｂに示すように、視聴者が、用事を済ませて見逃した番組映像場面を視聴するまでの時間が長くなる場合を考慮して、多くのＣＭ領域（ＣＭ１，ＣＭ２，ＣＭ３，・・・）の位置データにする必要があるので、前記［ステップＳ０６］におけるマーキング（Ａ，Ｂ，Ｃ・・・）位置データの記憶は、メモリ４４の記憶容量が許される範囲まで記憶するのが好ましい。なお、上記マーキング（Ａ，Ｂ，Ｃ・・・）位置データは、ＣＭ領域開始時の位置データでもよいことはいうまでもない。
【００２０】
このような処理をして番組映像画面を視聴しているとき、ユーザが何らかの用事ができて席を離れ、ある時間後に用事を済ませて席に戻り、見逃した映像場面を視聴しようとするとき、まず、操作部５の操作によって、特定のＣＭリターンキー操作により（特に図示しないが、メニューボタンの後に特定のボタン操作を要求することもできる）、ディスプレイ装置１に、適宜メニュー画面を表示させ（或いは表示させないで）、席を離れた時間の長短を考慮した回数のＯＮ操作を行う。
【００２１】
ここで、メモリ４４にＣＭリターンキー入力が記憶されているか否かの判断が行われる（［ステップ：Ｓ０７］）。［ステップ：Ｓ０７］において、「ＮＯ」（ＣＭリターンキー入力の不存在）の場合は、前記［ステップ：Ｓ０５］の判断が引き続き行われる。［ステップ：Ｓ０７］において、「ＹＥＳ」（ＣＭリターンキー入力の存在）の場合は、視聴者が見逃した番組映像場面を視聴しようとするときに操作部５（図１）によるＣＭリターンキーのＯＮ操作の操作回数がカウントされる（［ステップ：Ｓ０８］）。次に、［ステップ：Ｓ０８］において、ＣＭリターンキーのＯＮ操作の操作回数をカウントすると、図４に示すように、「現在位置」（ＣＭリターンキーのＯＮ操作した時点）からカウント回数（例えば、３回）分だけ戻った、「見逃し映像場面開始位置」前直近のマーキングＡとしたＣＭ１領域の位置データ（ＣＭ１領域の終了位置）が、メモリ４４から再生制御部４５３に読み込まれる（［ステップＳ０９］）。
【００２２】
その結果、再生制御部４５３の出力制御信号により映像音声処理部４１が制御され、見逃した映像場面の「開始位置」前直近のマーキングＡとした  ＣＭ１領域の終了位置からタイムシフト再生動作（ＣＭリターン動作）が行われ（［ステップＳ１０］）、ＣＭ１終了時直後（マーキングＡ）からの見逃した映像場面を含んだ番組映像画面がディスプレイ装置１の表示部に映し出される。
【００２３】
この実施例においては、ＣＭリターンキーを操作した回数を事前にカウントして、その回数に応じてタイムシフト再生動作をするように説明したが、これに限る必要はない。つまり、ＣＭリターンキーを操作する毎に１回前のＣＭ開始位置に戻ってタイムシフト再生動作する方式であっても、本発明の技術的範囲に属するものであり、この程度の変更は当業者が容易に可能な設計的事項である。
【００２４】
また、上記タイムシフト再生動作により再生された見逃した映像場面を含んだ番組映像画面と、通常のテレビ放送番組の番組映像画面とを、ＰｉｎＰ表示方式あるいはＰｏｕｔＰ表示方式で表示することによって、両映像画面を同時に視聴することもできる。最後に、テレビ放送番組の視聴を終了するとき、操作部５の電源ＯＦＦなどの操作により、メモリ４４に記録されているマーキングとしての各ＣＭ領域の位置データなどがクリアされ、見逃し防止装置４はリセットされる。
【産業上の利用可能性】
【００２５】
以上のように、本発明の番組見逃し防止装置、及びその方法をテレビジョン装置に適用すれば、簡単な操作により、上記のような作用効果を有するテレビジョン装置を提供することができる。
【図面の簡単な説明】
【００２６】
【図１】本発明の番組見逃し防止装置を備えたテレビジョン装置のブロック図
【図２】本発明の番組見逃し防止方法を説明するフローチャート
【図３】本発明における番組映像音声信号のＣＭ領域の検出を説明する動作模式図
【図４】本発明における番組映像音声信号のＣＭ領域の位置と番組映像画面の再生開始位置の関係を説明する動作模式図
【図５】本発明におけるテレビジョン装置の表示部に表示される映像画面の例（メニュー画面）
【符号の説明】
【００２７】
１  表示部（ディスプレイ）を有するテレビジョン装置
２  テレビジョン装置のチューナ
３  テレビジョン装置の映像表示処理部
４  番組見逃し防止装置  
５  操作部
４１  映像音声処理部  
４２  記録媒体
４３  音声判別処理部
４４  メモリ
４５  マイコン
４５１  音声情報処理部
４５２  マーキング処理部
４５３  再生制御部
【図１】
2005277754.tif 000003
【図２】
2005277754.tif 000004
【図３】
2005277754.tif 000005
【図４】
2005277754.tif 000006
【図５】
2005277754.tif 000007